(57)【要約】【課題】本考案は、レインウエアー用防水素材及び縫い目防水加工で、ゴルフシューズの足首や甲から浸入する水や泥を防ぐ為のゴルフ用レインカバーである。【解決手段】本考案は、ゴルフシューズの甲部、踵部、足首部を完全にカバーし、簡単に着脱且つ出来、歩いたり走ったりしても着用状態が変わらないよう考慮し、長期の使用にも耐えられることを特徴とする。【選択図】　　図１
0003097629.tif 000002
【実用新案登録請求の範囲】
【請求項１】
レインウエアー用素材を使用して、あらゆるタイプのゴルフシューズの足首から甲部、踵部を包むゴルフシューズ用レインカバー。
【考案の詳細な説明】
【０００１】
【考案の属する技術分野】
本考案は、あらゆるタイプのゴルフシューズの両足にカバーが出来、降雨中のラウンドや、濡れたゴルフ場のコースを歩いたり走ったりする時、シューズの中に水や泥が入ることを防ぐ為のゴルフシューズ用レインカバーに関するものである。
【０００２】
【従来の技術】
ゴルフシューズ本体に防水素材を内臓した物や、レインウエアのパンツ裾部でシューズを覆うことは出来ても、歩行中の跳ね上げによる足首と甲部からの水や泥の浸入を防ぐことは出来なかった。その為のゴルフシューズ用防水カバーが、例えば実用新案広報第３０１５４４２号、第３０２２３９２号がある。まずこの２件のゴルフシューズ用防水具共、形状はつま先から踵部、足首までシューズ全体を覆うものである。しかしながら実際、ラウンドをしている時の歩行中あるいは走行中に、シューズの中に水が浸入するのは甲部あるいは足首からであり、シューズ全体を覆う必要性は無い。さらにこの形状のものを着用したままではゴルフ場のクラブハウス内に出入りすることは、雨天時のプレーの際濡れたレインウエアを脱いでから出入りするように、マナー上好ましく無くその都度着脱せざるをえない。しかも第３０１５４４２号はこれを使用する対象となるゴルフシューズは従来のスパイクを使用したタイプであり、叉、使い捨てでもあり毎回新しく用意しなければならない。第３０２２３９２号はソール周壁と土踏まず部にゴム等でシューズと一体化させるものであるが、従来のある程度ゴルフシューズのソール形状が一定化されていた時はともかく、現在のあらゆる形状に変化しているソールには対応出来ない。
【０００３】
【考案が解決しようとする課題】
本考案はこれらの問題を次のような点で解決解決している。まず本考案であれば着用時のスタイルが、ゴルフシューズを履いているだけの状態と違和感のない形状であり、着用したままクラブハウスでも出入りが可能である。さらに現在の主流であるソフトスパイクやスパイクレス、叉様々な形状に変化をしているあらゆるタイプのゴルフシューズに対応出来るよう開発されたものである。且つ機能面については雨天のゴルフ、もしくはゴルフコースの地面が濡れている時はプレーの際、通常は一般的なゴルフシューズとレインウエアーを着用するが、歩行中にシューズの跳ね上げによって足首から水が浸入しシューズの中が濡れたり、シューズの甲のタング部からも水が浸入してシューズ内が濡れプレーヤーにとって甚だ不快な状況となる。叉、泥や芝屑、埃も足首から入り、ソックスも汚れる。しかもレインパンツの裾が濡れ且つ汚れてくると、それがシューズの踵部に付着してきて特に白のゴルフシューズの場合、その汚れが簡単に取れなくなる。ゴルフシューズの色は本体に白を使用しているものが多くシューズをその汚れから守ることも解決した。
【０００４】
【課題を解決するための手段】
本考案はレインウエアー用防水素材を使用し、縫い目の裏面に防水用シームテープを施しゴルフシューズの甲部から踵部、足首部を覆うように作られた物であり、さらに土踏まず部には耐摩耗、引き裂き強度に特別優れた素材を使用し、長期の使用にも耐えられるよう開発した。
【０００５】
【考案の実施の形態】
以下、本考案の実施例を図面に基づいて説明する。図１は本考案の全体図、図２は左足用を内側から見た図、図３は後ろから見た踵部の図、図４は本考案の土踏まず部の図、図５は本考案のカバーを使用した場合の全体図、図６は従来のカバーを使用した場合の全体図である。
【０００６】
図１はシューズの足首部を完全に覆うだけの寸法と、符号Ａは甲部センターにダーツを入れシューズとのフィット感を増している。符号Ｂはシューズの甲部と踵部をホールドするためにゴムを入れた。符号Ｃは足首で絞れるようゴムを入れている。
【０００７】
図２は図中の符号Ｄのファスナーで本考案が誰でも簡単に着脱出来ることを可能にした。叉、ファスナーの内側に下前立てを付け、ファスナーの虫でシューズに傷が付かないよう工夫がされている。
【０００８】
図３は図中の符号Ｅのゴムでシューズの踵部に引っ掛かりずれ無いようにしたことを表わす。
【０００９】
図４は図中の符号Ｆで、土踏まず部に本考案の本体レインウエアー用素材とは異なる耐摩耗、引き裂き強度に特別優れた素材を使用していることを表わす。且つ図中の符号Ｇの両面接着テープを使用し、着脱がより簡単に出来るよう工夫されている。
【００１０】
図５は、レインパンツもしくは通常のパンツを着用し、本考案のカバーを使用した場合の全体のバランスを表わしている。図中の符号Ｈが本考案の見える部分で、使用時のスタイルに違和感が無いことを表わす。
【００１１】
図６は、レインパンツもしくは通常のパンツを着用し、従来のカバーを使用した場合の全体のバランスを表わしている。図中の符号Ｉが従来のカバーで、本考案に比べ露出する部分がはるかに多いことを表わす。
【考案の効果】
本考案を着用すると、雨天のゴルフプレイの際やゴルフ場のコースが濡れていたり状態が良く無い場合、次のような効果が有る。歩いたり走ったりしても足首や甲部から跳ね上がる水や泥の浸入を防ぎ、シューズの中が濡れたり汚れたりすることが無く、叉、本考案の特徴は着用した状態の形状及びスタイルも違和感が無く、クラブハウスに着用したままでも入ることが出来る。しかも使用素材とその仕様により長期の使用にも耐えられる。さらに本考案はその形状によって、シューズ全体を覆う従来のカバーに比べシューズサイズの大小に、より対応出来るものである。
【図面の簡単な説明】
【図１】本考案のゴルフシューズレインカバーの全体図
【図２】本考案の左足内側の図
【図３】本考案の背面図
【図４】本考案の土踏まず部図
【図５】本考案のカバーを使用した状態の全体図
【図６】従来のカバーを使用した状態の全体図
【符号の説明】
Ａ　ダーツ
Ｂ　ゴム
Ｃ　ゴム
Ｄ　ファスナー
Ｅ　ゴム
Ｆ　異素材
Ｇ　両面接着テープ
Ｈ　本考案のカバー
Ｉ　従来のカバー
【図１】
0003097629.tif 000003
【図２】
0003097629.tif 000004
【図３】
0003097629.tif 000005
【図４】
0003097629.tif 000006
【図５】
0003097629.tif 000007
【図６】
0003097629.tif 000008
【手続補正書】
【提出日】平成15年6月13日(2003.6.13)
【手続補正１】
【補正対象書類名】明細書
【補正対象項目名】実用新案登録請求の範囲
【補正方法】変更
【補正の内容】
【実用新案登録請求の範囲】
【請求項１】
防水素材を使用し、ゴルフシューズの甲部から踵部、足首部だけを覆うように縫製し形成されたもので、このカパーをつま先から土踏まず部まで挿入し、本体内側に設けられたファスナーを閉めて装着し、さらにカバー本体の端部にゴムを入れ、装着した状態が安定するよう考慮したことを、特徴としたゴルフシューズ用レインカバー。